(57)【要約】    【課題】      パケットの損失を防ぐとともに、通信品質の劣化を防ぐこと。    【解決手段】  ＤＲＮＣ５３ｃは、ＲＮＣ制御部１０４にてＳＲＮＳ  Ｒｅｌｏｃａｔｉｏｎの実行時刻を設定し、設定したＳＲＮＳ  Ｒｅｌｏｃａｔｉｏｎの実行時刻の通知を含むDrift RNC Setup RequestメッセージをＳＲＮＣ５３ａに対して送信する（ステップＳＴ３０４）。次に、Drift RNC Setup Requestを受け取ったＳＲＮＣ５３ａは、Ｉｕｒベアラを設定するとともにＦＰ部１０８にてＳＲＮＳ  Ｒｅｌｏｃａｔｉｏｎの実行時刻を設定した後、Drift RNC Setup ResponseメッセージをＤＲＮＣ５３ｃに送信する（ステップＳＴ３０５）。次に、ＣＦＮにより指定されたＳＲＮＳ  Ｒｅｌｏｃａｔｉｏｎの実行時刻になると、ＳＲＮＣ５３ａ、ＤＲＮＣ５３ｂ及びＤＲＮＣ５６３ｃは、ＦＰ部１０８の指示によりＳＲＮＳ  Ｒｅｌｏｃａｔｉｏｎを実行する。  【選択図】      図３
2005260435.tif 000002
【特許請求の範囲】
【請求項１】
全ての無線制御装置の制御エリア内の基地局装置からのデータを一括処理する特定局となる前記無線制御装置を切り替える処理であるネットワーク機能ハンドオーバすることを、前記無線制御装置の上位局装置にて許可された場合には、前記ネットワーク機能ハンドオーバのタイミングを制御するタイミング制御信号に基づいて、前記無線制御装置にて同時に前記ネットワーク機能ハンドオーバを行って前記無線制御装置にて前記特定局を切り替えることを特徴とする無線ネットワーク制御方法。
【請求項２】
前記特定局である前記無線制御装置と端末装置との間にてタイミングを制御するための信号を前記タイミング制御信号として用いることを特徴とする請求項１記載の無線ネットワーク制御方法。
【請求項３】
各局の制御エリアのデータを一括処理する特定局を切り替える処理であるネットワーク機能ハンドオーバを行って前記特定局であるサービング無線ネットワーク制御装置となる無線制御装置であって、
前記ネットワーク機能ハンドオーバのタイミングを制御するタイミング制御信号に基づいて前記ネットワーク機能ハンドオーバするタイミングを決定するタイミング決定手段と、
前記タイミング決定手段にて決定された前記タイミングを他局に通知する通知手段と、
前記タイミング決定手段にて決定された前記タイミングで前記ネットワーク機能ハンドオーバすることにより前記他局に対する自局の制御エリアのデータの転送を停止して前記他局から前記他局の制御エリアのデータが転送されるように切り替えるデータ転送制御手段と、
前記特定局になった後に自局の制御エリアにおけるデータ及び前記他局から転送されてきた前記他局の制御エリアにおけるデータを処理するデータ処理手段と、
を具備することを特徴とする無線制御装置。
【請求項４】
前記タイミング決定手段は、前記特定局と端末装置との間にてタイミングを制御するための信号を前記タイミング制御信号として用いることを特徴とする請求項３記載の無線制御装置。
【請求項５】
各局の制御エリアのデータを一括処理する特定局を切り替える処理であるネットワーク機能ハンドオーバを行ってサービング無線ネットワーク制御装置である前記特定局から前記特定局へデータを転送するドリフト無線ネットワーク制御装置に切り替わる無線制御装置であって、
前記特定局である場合に自局の制御エリアのデータ及び他局から転送されてきた他局の制御エリアのデータを処理するデータ処理手段と、
前記ネットワーク機能ハンドオーバのタイミングを制御するタイミング制御信号を新たに前記特定局となる前記他局から取得する取得手段と、
前記取得手段にて取得された前記タイミング制御信号に基づいて前記他局と同時に前記ネットワーク機能ハンドオーバすることにより前記他局の制御エリアのデータの前記他局から自局への転送を停止して自局の制御エリアのデータが新たに前記特定局となる前記他局へ転送されるように切り替えるデータ転送制御手段と、
を具備することを特徴とする無線制御装置。
【請求項６】
各局の制御エリアのデータを一括処理する特定局を切り替える処理であるネットワーク機能ハンドオーバすることにより前記特定局が変更される毎に変更先の前記特定局へデータを転送するドリフト無線ネットワーク制御装置である無線制御装置であって、
前記ネットワーク機能ハンドオーバのタイミングを制御するタイミング制御信号を前記ネットワーク機能ハンドオーバすることにより新たに前記特定局になる前記他局から取得する取得手段と、
前記取得手段にて取得された前記タイミング制御信号に基づいて前記他局と同時に前記ネットワーク機能ハンドオーバすることにより自局の制御エリアのデータが変更先の前記特定局へ転送されるように切り替えるデータ転送制御手段と、
を具備することを特徴とする無線制御装置。
【請求項７】
前記取得手段は、前記特定局と端末装置との間にてタイミングを制御するための信号を用いた前記タイミング制御信号を取得することを特徴とする請求項５または請求項６記載の無線制御装置。
【請求項８】
移動端末と、
前記移動端末との間でデータを送受信する基地局装置と、
全ての他局の制御エリア内の前記基地局装置からのデータを一括処理する特定局を切り替える処理であるネットワーク機能ハンドオーバを行う複数の無線制御装置と、
前記ネットワーク機能ハンドオーバにより前記特定局になるための許可を求める前記無線制御装置に対して前記ネットワーク機能ハンドオーバすることを許可するか否かを決定する上位局装置と、
を具備する移動通信システムであって、
前記上位局装置にて前記ネットワーク機能ハンドオーバが許可された場合には、前記ネットワーク機能ハンドオーバのタイミングを制御するタイミング制御信号に基づいて全ての前記無線制御装置にて同時に前記ネットワーク機能ハンドオーバを行うことを特徴とする移動通信システム。
【請求項９】
前記無線制御装置は、前記特定局である前記無線制御装置と端末装置との間にてタイミングを制御するための信号を前記タイミング制御信号として用いることを特徴とする請求項８記載の移動通信システム。
【発明の詳細な説明】
【技術分野】
【０００１】
本発明は、移動通信システム及び無線ネットワーク制御方法に関し、特に移動通信ネットワーク内においてネットワーク機能ハンドオーバする移動通信システム及び無線ネットワーク制御方法に関する。
【背景技術】
【０００２】
図４は、従来のＧＰＲＳ（General Packet Radio Service）方式の移動通信パケット方式を適用した移動通信システムを示す構成図である（例えば、非特許文献１）。
【０００３】
図４に示す移動通信システムは、移動端末（以下「ＭＳ」と記載する）１１、制御エリア＃４０１内の基地局装置（以下「ＮｏｄｅＢ」と記載する）１２ａ〜１２ｃの制御を行うサービング無線ネットワーク制御装置（以下「ＳＲＮＣ」と記載する）１３ａ、制御エリア＃４０２内のＮｏｄｅＢ１２ｄ〜１２ｆの制御を行う無線ネットワーク制御装置（以下「ＲＮＣ」と記載する）１３ｂ、ＧＰＲＳ方式により通信を行うためのサービングＧＰＲＳサポートノード（以下「ＳＧＳＮ」と記載する）１４ａ、１４ｂ、及びＧＰＲＳ方式により通信を行うためのゲートウェイＧＰＲＳサポートノード（以下「ＧＧＳＮ」と記載する）１５、移動交換装置（以下「ＭＳＣ／ＶＬＲ」と記載する）１６ａ、１６ｂ及びホームロケーション装置／認証センター（以下「ＨＬＲ／ＡｕＣ」と記載する）１７を有している。ここで、ＳＲＮＣはＮｏｄｅＢと通信を行うＭＳの無線回線制御など、ＭＳに関するサービング無線ネットワーク制御を行う。
【０００４】
移動通信システムでは、加入者線延長と呼ばれる通信方式が適用される。加入者線延長方式では、例えば、ＭＳ１１が、ＳＲＮＣ１３ａ配下のＮｏｄｅＢ１２ａにより構成される位置登録エリアから、ＲＮＣ１３ｂ配下のＮｏｄｅＢ１２ｅにより構成される位置登録エリアにハンドオーバした場合、ＭＳ１１とＧＧＳＮ１５との間の信号は、図４に示すように、ＭＳ１１、ＮｏｄｅＢ１２ｅ、ＲＮＣ１３ｂ、ＳＲＮＣ１３ａ、ＳＧＳＮ１４ａ、ＧＧＳＮ１５の経路にて転送される。
【０００５】
この時、マクロダイバーシチー合成機能、ＭＡＣ及びＲＬＣ等の無線レイヤ２の機能と、ＲＲＣ／ＲＲＭ等の無線レイヤ３の機能は、依然ＳＲＮＣ１３ａにより提供される。即ち、ＳＲＮＣ１３ａをアンカーポイントとして、加入者のアクセス回線が延長される形態となる。
【０００６】
しかし、図４の通信形態の場合、ＳＲＮＣ１３ａをアンカーポイントとして、加入者のアクセス回線が延長されるため、冗長な通信経路となり、移動通信ネットワークの通信リソースを効率的に利用できないという課題がある。このような課題を解決するために、ＳＲＮＳ  Ｒｅｌｏｃａｔｉｏｎ方法が知られている（例えば、非特許文献２）。ＳＲＮＳ  Ｒｅｌｏｃａｔｉｏｎ方法とは、無線ネットワーク制御装置間にてＳＲＮＣの機能をネットワーク機能ハンドオーバする方法である。ここで、ネットワーク機能ハンドオーバとは、各ＲＮＣの制御エリア＃４０１、＃４０２のデータを一括処理するＳＲＮＣ（特定局）を切り替える処理である。
【０００７】
ＳＲＮＳ  Ｒｅｌｏｃａｔｉｏｎ方法を適用することにより、図５に示すように、ＳＲＮＣ１３ａはＲＮＣ１８ａになり、ＲＮＣ１３ｂはＳＲＮＣ１８ｂになる。例えば、図４において、ＭＳ１１がＳＲＮＣ１３ａ配下のＮｏｄｅＢ１２ａにより構成される位置登録エリアからＲＮＣ１３ｂ配下のＮｏｄｅＢ１２ｅにより構成される位置登録エリアにハンドオーバした場合、ＳＲＮＣの機能をネットワーク機能ハンドオーバすることにより、ＭＳ１１とＧＧＳＮ１５との間の信号は、図５に示すように、ＭＳ１１、ＮｏｄｅＢ１２ｅ、ＳＲＮＣ１８ｂ、ＳＧＳＮ１４ｂ、ＧＧＳＮ１５の経路にて転送され、冗長な通信経路を解消して、移動通信ネットワークの通信リソースを効率的に利用することが可能となる。
【０００８】
さらに、従来のＧＰＲＳ方式の移動通信パケット方式を適用した移動通信システムの他の方法として、図６及び図７に示すように、ＭＳが複数のＲＮＣと通信している場合のＳＲＮＳ  Ｒｅｌｏｃａｔｉｏｎ方法として、Ｅｎｈａｎｃｅｄ  ＳＲＮＳ  Ｒｅｌｏｃａｔｉｏｎが知られている（例えば、非特許文献３）。
【０００９】
図６に示す移動通信システムは、制御エリア＃６０１内のＮｏｄｅＢ５２ａ〜５２ｃの制御を行うＳＲＮＣ５３ａ、制御エリア＃６０２内のＮｏｄｅＢ５２ｄ〜５２ｆの制御を行うドリフト無線ネットワーク制御装置（以下「ＤＲＮＣ」と記載する）５３ｂ、制御エリア＃６０３内のＮｏｄｅＢ５２ｇ〜５２ｉの制御を行うＤＲＮＣ５３ｃ、ＧＰＲＳ方式により通信を行うためのＳＧＳＮ５４、ＭＳＣ／ＶＬＲ５５及びＧＧＳＮ５６を有している。ここで、ＤＲＮＣはＮｏｄｅＢの無線セルにおけるリソース管理など、無線セルに関するコントローリング無線ネットワーク制御（ＣＲＮＣ）を行う。
【００１０】
例えば、図６では、上り方向に関して言えば、ＳＲＮＳ  Ｒｅｌｏｃａｔｉｏｎを実行することにより、図７に示すように、ＳＲＮＳの機能をネットワーク機能ハンドオーバし、ＳＲＮＣ５３ａをＤＲＮＣ６１ａに変更するとともに、ＤＲＮＣ５３ｃをＳＲＮＣ６１ｂに変更する。これにより、ＳＲＮＣ５３ａから変更されたＤＲＮＣ６１ａは、ＤＲＮＣ５３ｂ及びＤＲＮＣ５３ｃからパケットを受信していたのを、ＳＲＮＣ６１ｂへパケットを送信するように切り替える。また、ＤＲＮＣ５３ｂは、ＳＲＮＣ５３ａへパケットを送信していたのを、ＳＲＮＣ５３ｃへパケット送信するように切り替える。さらに、ＤＲＮＣ５３ｃから変更されたＳＲＮＣ６１ｂは、ＳＲＮＣ５３ａへパケットを送信していたのを、ＤＲＮＣ６１ａ及びＤＲＮＣ５３ｂからパケットを受信するように切り替える。このように、Ｅｎｈａｎｃｅｄ  ＳＲＮＳ  Ｒｅｌｏｃａｔｉｏｎを適用することにより、ＭＳが複数のＲＮＣと通信している場合においても、ＳＲＮＳの機能をネットワーク機能ハンドオーバし、冗長な経路を解消して、移動通信ネットワークの通信リソースを効率的に利用することが可能となる。
【００１１】
下り方向に関して言えば、ＳＲＮＣ５３ａは、ＳＲＮＳ  Ｒｅｌｏｃａｔｉｏｎの実行前には、ＳＧＳＮ５４からパケットを受信して、受信したパケットをＮｏｄｅＢ５２ｃ、ＤＲＮＣ５３ｂ、ＤＲＮＣ５３ｃに複製して送信するが、ＳＲＮＳ  Ｒｅｌｏｃａｔｉｏｎの実行後には、ＳＲＮＣ６１ｂから受信したパケットをＮｏｄｅＢ５２ｃに送信するように切り替える必要がある。また、ＤＲＮＣ５３ｂは、ＳＲＮＳ  Ｒｅｌｏｃａｔｉｏｎの実行前では、ＳＲＮＣ５３ａから受信したパケットをＮｏｄｅＢ５２ｅに送信するが、ＳＲＮＳ  Ｒｅｌｏｃａｔｉｏｎの実行後には、ＳＲＮＣ６１ｂからパケットを受信してＮｏｄｅＢ５２ｅに送信するように切り替える。さらに、ＤＲＮＣ５３ｃは、ＳＲＮＳ  Ｒｅｌｏｃａｔｉｏｎの実行前では、ＳＲＮＣ５３ａから受信したパケットをＮｏｄｅＢ５２ｇに送信するが、ＳＲＮＳ  Ｒｅｌｏｃａｔｉｏｎの実行後には、ＳＧＳＮ６２からパケットを受信して、受信したパケットをＤＲＮＣ６１ａ、ＤＲＮＣ５３ｂ、ＮｏｄｅＢ５２ｇに複製して送信する必要がある。
【００１２】
また、従来、ＮｏｄｅＢとＲＮＣとの間のデータ転送のためのタイミング制御に利用される信号としてコネクションフレーム番号（以下「ＣＦＮ」と記載する）がある。ＣＦＮは、Ｗ−ＣＤＭＡシステムの無線区間における信号伝送のタイミングを表す値であり、ＲＮＣとＲＮＣ配下のＮｏｄｅＢとの間にてＣＦＮのタイミング同期が取られている。例えば、上り回線においては、ＮｏｄｅＢは、ＵＥから受信したデータに受信時刻としてＣＦＮを付加してＲＮＣに送り、ＲＮＣは同じＣＦＮのデータは同一データであるものと判断して、複数のＮｏｄｅＢから受け取ったデータの中から品質の良いデータを選択する。一方、下り回線においては、ＲＮＣはデータにＣＦＮを付加して配下のＮｏｄｅＢへ送り、ＮｏｄｅＢは受け取ったデータに付加されているＣＦＮのタイミングにてＵＥにデータを送信する。これにより、複数のＮｏｄｅＢは同じデータを同じ時刻にＵＥに送信することができる。
【非特許文献１】3GPP、 TS23.060 General Packet Radio Service （ＧＰＲＳ） Service description; Stage 2
【非特許文献２】3GPP TR 25.832 V4.0.0 (2001-03) “Manifestations of Handover and SRNS Relocation (Release 4)”
【非特許文献３】3GPP TSG RAN-WG3 R3-021639 TR03.010 “SRNS relocation enhancement” (v0.4.0)
【発明の開示】
【発明が解決しようとする課題】
【００１３】
しかしながら、従来の移動通信システム及び無線ネットワーク制御方法においては、ＳＲＮＳ  Ｒｅｌｏｃａｔｉｏｎを実行してＲＮＣ間の通信経路を切り替えた際、パケットの損失が発生し、通信品質が劣化するという問題がある。例えば、図７において、同じ時刻にＮｏｄｅＢ５２ａで受信されたパケットは、図６の経路で転送されるものと、図７の経路で転送されるものとがあり、パケットに損失が発生するという問題がある。さらに、頻繁にＳＲＮＳ  Ｒｅｌｏｃａｔｉｏｎを実行する必要がある移動通信システムを用いる場合には、パケットの損失による通信品質劣化が顕著になるという問題がある。
【００１４】
本発明はかかる点に鑑みてなされたものであり、パケットの損失を防ぐことができるとともに、通信品質の劣化を防ぐことができる移動通信システム及び無線ネットワーク制御方法を提供することを目的とする。
【課題を解決するための手段】
【００１５】
本発明の無線ネットワーク制御方法は、全ての無線制御装置の制御エリア内の基地局装置からのデータを一括処理する特定局となる前記無線制御装置を切り替える処理であるネットワーク機能ハンドオーバすることを、前記無線制御装置の上位局装置にて許可された場合には、前記ネットワーク機能ハンドオーバのタイミングを制御するタイミング制御信号に基づいて、前記無線制御装置にて同時に前記ネットワーク機能ハンドオーバを行って前記無線制御装置にて前記特定局を切り替えるようにした。
【００１６】
この方法によれば、タイミング制御信号に基づいて全ての無線制御装置は同時にネットワーク機能ハンドオーバするので、パケットデータがネットワーク機能ハンドオーバする前の経路とネットワーク機能ハンドオーバ後の経路との異なる経路により無線制御装置に到達することによるパケットデータの損失を防ぐことができるとともに、通信品質の劣化を防ぐことができる。
【００１７】
本発明の無線ネットワーク制御方法は、前記方法において、前記特定局である前記無線制御装置と端末装置との間にてタイミングを制御するための信号を前記タイミング制御信号として用いるようにした。
【００１８】
この方法によれば、前記効果に加えて、特定局である無線制御装置と端末装置との間にてタイミングを制御するための信号を用いてネットワーク機能ハンドオーバのタイミングを制御することができるので、ネットワーク機能ハンドオーバのタイミングを制御するための新たな信号が不要であり、ネットワーク機能ハンドオーバの処理を簡単にすることができる。
【００１９】
本発明の無線制御装置は、各局の制御エリアのデータを一括処理する特定局を切り替える処理であるネットワーク機能ハンドオーバを行って前記特定局であるサービング無線ネットワーク制御装置となる無線制御装置であって、前記ネットワーク機能ハンドオーバのタイミングを制御するタイミング制御信号に基づいて前記ネットワーク機能ハンドオーバするタイミングを決定するタイミング決定手段と、前記タイミング決定手段にて決定された前記タイミングを他局に通知する通知手段と、前記タイミング決定手段にて決定された前記タイミングで前記ネットワーク機能ハンドオーバすることにより前記他局に対する自局の制御エリアのデータの転送を停止して前記他局から前記他局の制御エリアのデータが転送されるように切り替えるデータ転送制御手段と、前記特定局になった後に自局の制御エリアにおけるデータ及び前記他局から転送されてきた前記他局の制御エリアにおけるデータを処理するデータ処理手段と、を具備する構成を採る。
【００２０】
この構成によれば、ネットワーク機能ハンドオーバすることにより自分がサービング無線ネットワーク制御装置になる場合には、ネットワーク機能ハンドオーバするタイミングを決定して他局へ通知し、他局と同時にネットワーク機能ハンドオーバを行うので、パケットデータがネットワーク機能ハンドオーバする前の経路とネットワーク機能ハンドオーバ後の経路との異なる経路により無線制御装置に到達することによるパケットデータの損失を防ぐことができるとともに、通信品質の劣化を防ぐことができる。
【００２１】
本発明の無線制御装置は、前記構成において、前記タイミング決定手段は、前記特定局と端末装置との間にてタイミングを制御するための信号を前記タイミング制御信号として用いる構成を採る。
【００２２】
この構成によれば、前記効果に加えて、特定局と端末装置との間にてタイミングを制御するための信号を用いてネットワーク機能ハンドオーバのタイミングを制御することができるので、ネットワーク機能ハンドオーバのタイミングを制御するための新たな信号が不要であり、ネットワーク機能ハンドオーバの処理を簡単にすることができる。
【００２３】
本発明の無線制御装置は、各局の制御エリアのデータを一括処理する特定局を切り替える処理であるネットワーク機能ハンドオーバを行ってサービング無線ネットワーク制御装置である前記特定局から前記特定局へデータを転送するドリフト無線ネットワーク制御装置に切り替わる無線制御装置であって、前記特定局である場合に自局の制御エリアのデータ及び他局から転送されてきた他局の制御エリアのデータを処理するデータ処理手段と、前記ネットワーク機能ハンドオーバのタイミングを制御するタイミング制御信号を新たに前記特定局となる前記他局から取得する取得手段と、前記取得手段にて取得された前記タイミング制御信号に基づいて前記他局と同時に前記ネットワーク機能ハンドオーバすることにより前記他局の制御エリアのデータの前記他局から自局への転送を停止して自局の制御エリアのデータが新たに前記特定局となる前記他局へ転送されるように切り替えるデータ転送制御手段と、を具備する構成を採る。
【００２４】
この構成によれば、ネットワーク機能ハンドオーバすることにより自分がサービング無線ネットワーク制御装置からドリフト無線ネットワーク制御装置に切り替わる場合には、ネットワーク機能ハンドオーバする前に新たにサービング無線ネットワーク制御装置になる他局から通知されたネットワーク機能ハンドオーバのタイミングにて、他局と同時にネットワーク機能ハンドオーバを行うので、パケットデータがネットワーク機能ハンドオーバする前の経路とネットワーク機能ハンドオーバ後の経路との異なる経路により無線制御装置に到達することによるパケットデータの損失を防ぐことができるとともに、通信品質の劣化を防ぐことができる。
【００２５】
本発明の無線制御装置は、各局の制御エリアのデータを一括処理する特定局を切り替える処理であるネットワーク機能ハンドオーバすることにより前記特定局が変更される毎に変更先の前記特定局へデータを転送するドリフト無線ネットワーク制御装置である無線制御装置であって、前記ネットワーク機能ハンドオーバのタイミングを制御するタイミング制御信号を前記ネットワーク機能ハンドオーバすることにより新たに前記特定局になる前記他局から取得する取得手段と、前記取得手段にて取得された前記タイミング制御信号に基づいて前記他局と同時に前記ネットワーク機能ハンドオーバすることにより自局の制御エリアのデータが変更先の前記特定局へ転送されるように切り替えるデータ転送制御手段と、を具備する構成を採る。
【００２６】
この構成によれば、ネットワーク機能ハンドオーバすることにより自分がドリフト無線ネットワーク制御装置のままである場合には、他局のサービング無線ネットワーク制御装置から通知されたネットワーク機能ハンドオーバのタイミングにて他局と同時にネットワーク機能ハンドオーバを行うので、パケットデータがネットワーク機能ハンドオーバする前の経路とネットワーク機能ハンドオーバ後の経路との異なる経路により無線制御装置に到達することによるパケットデータの損失を防ぐことができるとともに、通信品質の劣化を防ぐことができる。
【００２７】
本発明の無線制御装置は、前記構成において、前記取得手段は、前記特定局と端末装置との間にてタイミングを制御するための信号を用いた前記タイミング制御信号を取得する構成を採る。
【００２８】
この構成によれば、前記効果に加えて、特定局と端末装置との間にてタイミングを制御するための信号を用いてネットワーク機能ハンドオーバのタイミングを制御することができるので、ネットワーク機能ハンドオーバのタイミングを制御するための新たな信号が不要であり、ネットワーク機能ハンドオーバの処理を簡単にすることができる。
【００２９】
本発明の移動通信システムは、移動端末と、前記移動端末との間でデータを送受信する基地局装置と、全ての他局の制御エリア内の前記基地局装置からのデータを一括処理する特定局を切り替える処理であるネットワーク機能ハンドオーバを行う複数の無線制御装置と、前記ネットワーク機能ハンドオーバにより前記特定局になるための許可を求める前記無線制御装置に対して前記ネットワーク機能ハンドオーバすることを許可するか否かを決定する上位局装置と、を具備する移動通信システムであって、前記上位局装置にて前記ネットワーク機能ハンドオーバが許可された場合には、前記ネットワーク機能ハンドオーバのタイミングを制御するタイミング制御信号に基づいて全ての前記無線制御装置にて同時に前記ネットワーク機能ハンドオーバを行う構成を採る。
【００３０】
この構成によれば、タイミング制御信号に基づいて全ての無線制御装置は同時にネットワーク機能ハンドオーバするので、パケットデータがネットワーク機能ハンドオーバする前の経路とネットワーク機能ハンドオーバ後の経路との異なる経路により無線制御装置に到達することによるパケットデータの損失を防ぐことができるとともに、通信品質の劣化を防ぐことができる。
【００３１】
本発明の移動通信システムは、前記構成において、前記無線制御装置は、前記特定局である前記無線制御装置と端末装置との間にてタイミングを制御するための信号を前記タイミング制御信号として用いる構成を採る。
【００３２】
この構成によれば、前記効果に加えて、特定局である無線制御装置と端末装置との間にてタイミングを制御するための信号を用いてネットワーク機能ハンドオーバのタイミングを制御することができるので、ネットワーク機能ハンドオーバのタイミングを制御するための新たな信号が不要であり、ネットワーク機能ハンドオーバの処理を簡単にすることができる。
【発明の効果】
【００３３】
本発明によれば、パケットの損失を防ぐことができるとともに、通信品質の劣化を防ぐことができる。
【発明を実施するための最良の形態】
【００３４】
発明者は、Ｎｏｄｅ  ＢとＳＲＮＣとの間にてタイミング情報としてＣＦＮが維持されていることに着目し、本発明をするに至った。
【００３５】
本発明の骨子は、全ての無線制御装置の制御エリア内のデータを一括処理する特定局（ＳＲＮＣ）を切り替える処理であるネットワーク機能ハンドオーバのタイミングを制御するタイミング制御信号（ＣＦＮ）に基づいて、全ての無線制御装置にて同時にネットワーク機能ハンドオーバを行って無線制御装置にて特定局を切り替えることである。
【００３６】
以下、本発明の実施の形態について、図面を参照して詳細に説明する。
【００３７】
（実施の形態）
図１は、本発明の実施の形態に係る無線制御装置１００の構成を示すブロック図である。
【００３８】
回線Ｉ／Ｆ部１０１−１〜１０１−ｎは、交換部１０９から入力したＩｕｂフレームの信号を各ＮｏｄｅＢへ出力する。また、回線Ｉ／Ｆ部１０１−１〜１０１−ｎは、各ＮｏｄｅＢから入力したＩｕｂフレームの信号を交換部１０９へ出力する。
【００３９】
回線Ｉ／Ｆ部１０２は、交換部１０９から入力したＩｕｒフレームの信号を他のＲＮＣへ出力する。また、回線Ｉ／Ｆ部１０２は、他のＲＮＣから入力したＩｕｒフレームの信号を交換部１０９へ出力する。また、回線Ｉ／Ｆ部１０２は、無線制御装置１００がネットワーク機能ハンドオーバして新たなＳＲＮＣ（以下「新ＳＲＮＣ」と記載する）になる場合には、ネットワーク機能ハンドオーバする前において、交換部１０９から入力したネットワーク機能ハンドオーバするタイミングの情報であるＣＦＮを他のＲＮＣへ出力する。また、回線Ｉ／Ｆ部１０２は、無線制御装置１００がネットワーク機能ハンドオーバしてＳＲＮＣからＤＲＮＣ（以下「新ＤＲＮＣ」と記載する）になる場合、及びネットワーク機能ハンドオーバしてもＤＲＮＣのままである場合には、ネットワーク機能ハンドオーバする前において、新ＳＲＮＣとなる他のＲＮＣから送られてきたネットワーク機能ハンドオーバするタイミングの情報であるＣＦＮを交換部１０９へ出力する。
【００４０】
回線Ｉ／Ｆ部１０３は、交換部１０９から入力したユーザフレームの信号をＳＧＳＮ／ＭＳＣへ出力する。また、回線Ｉ／Ｆ部１０３は、ＳＧＳＮ／ＭＳＣから入力したユーザフレームの信号を交換部１０９へ出力する。
【００４１】
ＲＮＣ制御部１０４は、ＮｏｄｅＢとの間にて制御プロトコルの処理を行うものであり、交換部１０９から入力した信号を用いて制御プロトコルの処理を行い、制御プロトコルの処理を行った信号を交換部１０９へ出力する。また、ＲＮＣ制御部１０４は、無線制御装置１００が新ＳＲＮＣとなる場合には、ネットワーク機能ハンドオーバする前において、所定のタイミングにてＣＦＮ（タイミング制御信号）をタイミングソース部１１０から読み取ってネットワーク機能ハンドオーバするタイミングの情報としてＦＰ部１０８へ出力するとともに、交換部１０９へ出力して他のＲＮＣにネットワーク機能ハンドオーバするタイミングの情報としてＣＦＮを通知する。また、ＲＮＣ制御部１０４は、無線制御装置１００が新ＤＲＮＣとなる場合及びＤＲＮＣのままである場合には、交換部１０９から入力した新ＳＲＮＣとなる他のＲＮＣから通知されたネットワーク機能ハンドオーバするタイミングの情報であるＣＦＮよりＳＲＮＳ  Ｒｅｌｏｃａｔｉｏｎを実行するタイミングを設定し、設定したＳＲＮＳ  Ｒｅｌｏｃａｔｉｏｎを実行するタイミングの情報としてのＣＦＮをＦＰ部１０８へ出力する。
【００４２】
無線レイヤ３部１０５は、交換部１０９から入力した制御信号に基づいて、ＭＳとの間にて無線リソース（以下「ＲＲＣ」と記載する）処理及び無線リソース管理（以下「ＲＲＭ」と記載する）処理を行う。また、無線レイヤ３部１０５は、ＲＲＣのための制御データを交換部１０９へ出力する。
【００４３】
無線レイヤ２部１０６は、交換部１０９から入力したユーザデータと制御データとに対して、メディアアクセス制御（以下「ＭＡＣ」と記載する）処理及び無線リンク制御（以下「ＲＬＣ」と記載する）処理を行って、交換部１０９へ出力する。また、無線レイヤ２部１０６は、交換部１０９から入力したＩｕｒフレームの信号に対して再送による誤り回復処理を行う。そして、無線レイヤ２部１０６は、誤り回復処理を行った後に、ユーザフレームの信号と制御フレームの信号とに分離して交換部１０９へ出力する。
【００４４】
ＭＤＣ部１０７は、ダイバーシチハンドオーバ状態において、交換部１０９から入力したユーザフレームの信号に含まれるＣＦＮを参照して、同じＣＦＮの信号は同一データの信号であるものと判断して品質の良い方の信号を選択する。また、ＭＤＣ部１０７は、ユーザフレームの信号にＣＦＮを付加して交換部１０９へ出力する。さらに、ＭＤＣ部１０７は、ＳＲＮＳ  Ｒｅｌｏｃａｔｉｏｎを実行した後に、ＣＦＮに基づいて、交換部１０９から入力したＩｕｒフレームの信号またはＩｕｂフレームの信号をマクロダイバーシチ合成する。
【００４５】
ＦＰ部１０８は、交換部１０９からＩｕｒフレームの信号またはＩｕｂフレームの信号が入力する所定のタイミング毎に、ＲＮＣ制御部１０４から入力したＣＦＮと交換部１０９から入力したＩｕｒフレームの信号またはＩｕｂフレームの信号に設定されたＣＦＮとを比較する。そして、ＦＰ部１０８は、比較した結果ＳＲＮＳ  Ｒｅｌｏｃａｔｉｏｎを実行するタイミングである場合には、Ｉｕｂフレームの信号またはＩｕｒフレームの信号の転送先を変更して交換部１０９へ出力する。なお、ＦＰ部１０８の詳細については後述する。
【００４６】
交換部１０９は、ＦＰ部１０８から入力したＩｕｂフレームの信号を回線Ｉ／Ｆ部１０１−１〜１０１−ｎまたはＭＤＣ部１０７へ出力し、ＦＰ部１０８から入力したＩｕｒフレームの信号を回線Ｉ／Ｆ部１０２またはＭＤＣ部１０７へ出力し、無線レイヤ２部１０６から入力したユーザフレームの信号を回線Ｉ／Ｆ部１０３へ出力する。また、交換部１０９は、回線Ｉ／Ｆ部１０１−１〜１０１−ｎから入力したＣＦＮが設定されたＩｕｂフレームの信号をＦＰ部１０８へ出力し、回線Ｉ／Ｆ部１０２から入力したＣＦＮが設定されたＩｕｒフレームの信号をＦＰ部１０８へ出力する。また、交換部１０９は、ＲＮＣ制御部１０４から入力した信号を制御プロトコル処理するために回線Ｉ／Ｆ部１０１−１〜１０１−ｎへ出力するとともに、回線Ｉ／Ｆ部１０１−１〜１０１−ｎから入力した信号を制御プロトコル処理するためにＲＮＣ制御部１０４へ出力する。また、交換部１０９は、ＲＮＣ制御部１０４から入力したネットワーク機能ハンドオーバするタイミングの情報であるＣＦＮを回線Ｉ／Ｆ部１０２へ出力し、回線Ｉ／Ｆ部１０２から入力したネットワーク機能ハンドオーバするタイミングの情報であるＣＦＮをＲＮＣ制御部１０４へ出力する。さらに、交換部１０９は、無線レイヤ２部１０６から入力した制御フレームの信号を無線レイヤ３部１０５へ出力するとともに、無線レイヤ３部１０５から入力した制御フレームの信号を無線レイヤ２部１０６へ出力する。
【００４７】
タイミングソース部１１０は、ＣＦＮを管理しており、所定のタイミングにてＣＦＮをＲＮＣ制御部１０４へ出力する。
【００４８】
次に、ＦＰ部１０８の内部構成について、図２を用いて説明する。
【００４９】
タイミング情報抽出部２０１は、交換部１０９から入力したＩｕｒフレームまたはＩｕｂフレームに設定されているＣＦＮを抽出し、抽出したＣＦＮをタイミング制御部２０２へ出力する。
【００５０】
タイミング制御部２０２は、ＲＮＣ制御部１０４から入力したネットワーク機能ハンドオーバするタイミングの情報であるＣＦＮと、タイミング情報抽出部２０１から入力したＩｕｒフレームの信号またはＩｕｂフレームの信号に設定されているＣＦＮとを比較する。そして、タイミング制御部２０２は、比較の結果ＳＲＮＳ  Ｒｅｌｏｃａｔｉｏｎを実行するタイミングのＣＦＮが設定されたＩｕｒフレームの信号またはＩｕｂフレームの信号である場合には、ＦＰ制御部２０３に対してＳＲＮＳ  Ｒｅｌｏｃａｔｉｏｎを実行するように指示する。
【００５１】
ＦＰ制御部２０３は、タイミング制御部２０２からＳＲＮＳ  Ｒｅｌｏｃａｔｉｏｎを実行するように指示を受けない場合において、無線制御装置１００がＳＲＮＣである場合には、交換部１０９から入力したＩｕｒフレームの信号またはＩｕｂフレームの信号の転送先を自分のＭＤＣ部１０７として交換部１０９へ出力し、無線制御装置１００がＤＲＮＣである場合には、交換部１０９から入力したＩｕｒフレームの信号またはＩｕｂフレームの信号の転送先を他のＲＮＣとして回線Ｉ／Ｆ部１０２から他のＲＮＣへ転送されるように交換部１０９へ出力する。
【００５２】
また、ＦＰ制御部２０３は、タイミング制御部２０２からＳＲＮＳ  Ｒｅｌｏｃａｔｉｏｎを実行するように指示を受けた場合、ＳＲＮＳ  Ｒｅｌｏｃａｔｉｏｎを実行後の接続形態に応じて交換部１０９から入力したＩｕｒフレームの信号またはＩｕｂフレームの信号の転送先を変更する。具体的には、ＦＰ制御部２０３は、無線制御装置１００がネットワーク機能ハンドオーバして新ＳＲＮＣに切り替わることにより、ネットワーク機能ハンドオーバのタイミング以降のＣＦＮが設定されたＩｕｒフレームの信号またはＩｕｂフレームの信号の転送先を他のＲＮＣから自分のＭＤＣ部１０７に変更する。また、ＦＰ制御部２０３は、無線制御装置１００がネットワーク機能ハンドオーバしてＳＲＮＣから新ＤＲＮＣに切り替わることにより、ネットワーク機能ハンドオーバのタイミング以降のＣＦＮが設定されたＩｕｒフレームの信号またはＩｕｂフレームの信号の転送先を自分のＭＤＣ部１０７から新ＲＮＣとなった他のＲＮＣへ変更する。また、ＦＰ制御部２０３は、無線制御装置１００がネットワーク機能ハンドオーバしてもＤＲＮＣのままである場合には、ネットワーク機能ハンドオーバのタイミング以降のＣＦＮが設定されたＩｕｒフレームの信号またはＩｕｂフレームの信号の転送先を新ＳＲＮＣとなった他のＲＮＣへ変更する。
【００５３】
次に、無線制御装置１００を適用した移動通信システムの動作について、各無線制御装置１００が図６の状態から図７の状態へネットワーク機能ハンドオーバするものとして、図３、図６及び図７を用いて説明する。図３は、移動通信システムの動作を示すシーケンス図である。なお、図３、図６及び図７において、ＳＲＮＣ５３ａ、ＤＲＮＣ５３ｂ、ＤＲＮＣ５３ｃ、ＤＲＮＣ６１ａ及びＳＲＮＣ６１ｂは、図１と同一構成である。
【００５４】
最初に、ＳＲＮＣ５３ａは、ＳＲＮＳ  Ｒｅｌｏｃａｔｉｏｎを実行してネットワーク機能ハンドオーバを行うことを決定する。
【００５５】
次に、ネットワーク機能ハンドオーバすることを決定したＳＲＮＣ５３ａは、ＳＧＳＮ５４に対してelocation Requiredメッセージを送信し、ネットワーク機能のネットワーク機能ハンドオーバを開始することを通知する（ステップＳＴ３０１）。
【００５６】
次に、ＳＧＳＮ５４は、ＳＲＮＳ  Ｒｅｌｏｃａｔｉｏｎが、ＳＧＳＮをまたがるＳＲＮＳ  Ｒｅｌｏｃａｔｉｏｎであるｉｎｔｅｒ−ＳＧＳＮ  ＳＲＮＳ  Ｒｅｌｏｃａｔｉｏｎであるかどうかを判定し、ｉｎｔｅｒ−ＳＧＳＮ  ＳＲＮＳ  Ｒｅｌｏｃａｔｉｏｎである場合は、新ＳＲＮＣとなるＲＮＣを収容しているＳＧＳＮ６２にForward Relocation Requestメッセージを送信する（ステップＳＴ３０２）。
【００５７】
次に、Forward Relocation Requestメッセージを受け取ったＳＧＳＮ６２は、新しくＳＲＮＣとなるＤＲＮＣ５３ｃとの間にデータ転送のためのＩｕベアラを設定するために、Relocation RequestメッセージをＤＲＮＣ５３ｃに送信する（ステップＳＴ３０３）。
【００５８】
次に、新ＳＲＮＣとなるＤＲＮＣ５３ｃは、ＲＮＣ制御部１０４にてＳＲＮＳ  Ｒｅｌｏｃａｔｉｏｎの実行時刻を決定し、決定したＳＲＮＳ  Ｒｅｌｏｃａｔｉｏｎの実行時刻の通知を含むDrift RNC Setup RequestメッセージをＤＲＮＣとなるＳＲＮＣ５３ａに対して送信する（ステップＳＴ３０４）。ここで、Drift RNC Setup Requestメッセージには、ＳＲＮＳ  Ｒｅｌｏｃａｔｉｏｎの実行時刻の通知と、新ＳＲＮＣとなるＲＮＣとＤＲＮＣであるＲＮＣとの間にデータ転送のためのＩｕｒベアラを設定するために、ＳＲＮＳ  Ｒｅｌｏｃａｔｉｏｎの実行時刻ＣＦＮ、ＤＲＮＣにおいて自身の持つタイミングソースからＣＦＮを算出するためのオフセット値（Frame Offset、Chip Offset）が含まれている。
【００５９】
次に、Drift RNC Setup Requestを受け取ったＳＲＮＣ５３ａは、Ｉｕｒベアラを設定するとともにＲＮＣ制御部１０４にてＲＮＳ  Ｒｅｌｏｃａｔｉｏｎの実行時刻を設定した後、Drift RNC Setup Responseメッセージを新ＳＲＮＣになるＤＲＮＣ５３ｃに送信する（ステップＳＴ３０５）。
【００６０】
次に、新ＳＲＮＣとなるＤＲＮＣ５３ｃは、ＤＲＮＣ５３ｂに対してDrift RNC Setup Requestメッセージを送信する（ステップＳＴ３０６）。
【００６１】
次に、Drift RNC Setup Requestを受け取ったＤＲＮＣ５３ｂは、Ｉｕｒベアラを設定するとともにＲＮＣ制御部１０４にてＳＲＮＳ  Ｒｅｌｏｃａｔｉｏｎの実行時刻を決定した後、Drift RNC Setup Responseメッセージを新しくＳＲＮＣになるＤＲＮＣ５３ｃに送信する（ステップＳＴ３０７）。
【００６２】
次に、新ＳＲＮＣとなるＤＲＮＣ５３ｃは、ＳＧＳＮ６２との間にＩｕベアラを設定した後、ＳＲＮＳ  Ｒｅｌｏｃａｔｉｏｎの準備が整ったことを示すRelocation Request AcknowledgeメッセージをＳＧＳＮ６２に対して送信する（ステップＳＴ３０８）。
【００６３】
次に、Relocation Request Acknowledgeメッセージを受け取ったＳＧＳＮ６２は、ＳＲＮＳ  Ｒｅｌｏｃａｔｉｏｎの準備が整ったことを示すForward Relocation ResponseメッセージをＳＧＳＮ５４に対して送信する（ステップＳＴ３０９）。
【００６４】
次に、ＳＧＳＮ５４は、ＳＲＮＳ  Ｒｅｌｏｃａｔｉｏｎを続けるためにＳＲＮＳ  Ｒｅｌｏｃａｔｉｏｎの開始を許可するRelocation CommandメッセージをＳＲＮＣ５３ａに対して送信する（ステップＳＴ３１０）。
【００６５】
次に、ＳＲＮＣ５３ａは、ＳＲＮＳ  Ｒｅｌｏｃａｔｉｏｎに伴うユーザパケットの損失を最低限に抑えるために、ＳＧＳＮ５４から受信したユーザデータを、新しくＳＲＮＣとなるＤＲＮＣ５３ｃへ転送開始する（ステップＳＴ３１１）。
【００６６】
次に、ＳＲＮＣ５３ａは、SRNS contextを新ＳＲＮＣとなるＤＲＮＣ５３ｃへ転送するために、Relocation Commitメッセージを新ＳＲＮＣとなるＤＲＮＣ５３ｃへ送信する（ステップＳＴ３１２）。この場合、ＳＲＮＳ  Ｒｅｌｏｃａｔｉｏｎの実行時刻をＣＦＮにより指定するため、Relocation Commitメッセージでは、SRNS Contextの転送のみを行う。
【００６７】
次に、ＣＦＮにより指定されたＳＲＮＳ  Ｒｅｌｏｃａｔｉｏｎの実行時刻になると、ＳＲＮＣ５３ａ、ＤＲＮＣ５３ｂ及びＤＲＮＣ５３ｃは、ＳＲＮＳ  Ｒｅｌｏｃａｔｉｏｎを実行する。
【００６８】
上り方向では、ＤＲＮＣ６１ａのＦＰ部１０８は、ＮｏｄｅＢ５２ｃから受信したＩｕｂフレームのうち、ＳＲＮＳ  Ｒｅｌｏｃａｔｉｏｎの実行時刻ＣＦＮ以降のＣＦＮ値が設定されているＩｕｂフレームを新ＳＲＮＣとなったＳＲＮＣ６１ｂへ送信する。ＲＮＣ５３ｂのＦＰ部１０８は、ＮｏｄｅＢ５２ｅから受信したＩｕｂフレームのうち、ＳＲＮＳ  Ｒｅｌｏｃａｔｉｏｎの実行時刻ＣＦＮ以降のＣＦＮ値が設定されているＩｕｂフレームをＳＲＮＣ６１ｂへ送信する。ＳＲＮＣ６１ｂのＦＰ部１０８は、ＮｏｄｅＢ５２ｇから受信したＩｕｂフレームのうち、ＳＲＮＳ  Ｒｅｌｏｃａｔｉｏｎの実行時刻ＣＦＮ以降のＣＦＮ値が設定されているＩｕｂフレームをＭＤＣ部１０７に転送しマクロダイバーシチー合成処理を行い、ＳＧＳＮ６２へ送信する。
【００６９】
下り方向では、ＤＲＮＣ６１ａのＦＰ部１０８は、ＳＲＮＣ６１ｂからデータの受信を開始し、ＮｏｄｅＢ５２ｃへ送信する。ＲＮＣ５３ｂのＦＰ部１０８は、新ＳＲＮＣとなったＳＲＮＣ６１ｂからデータの受信を開始し、ＮｏｄｅＢ５２ｅへ送信する。ＳＲＮＣ６１ｂのＦＰ部１０８は、ＳＧＳＮ６２からデータの受信を開始し、ＭＤＣ部１０７において、ＭＳ５１でのマクロダイバーシチー合成のためにデータの複製を行い、ＮｏｄｅＢ５２ｇとＤＲＮＣ６１ａ及びＤＲＮＣ５３ｂへ送信する。
【００７０】
次に、ＤＲＮＣ６１ａは、ＳＲＮＳ  Ｒｅｌｏｃａｔｉｏｎを実行した後、Drift RNC Relocation Completeを新しくＳＲＮＣとなったＳＲＮＣ６１ｂに送信する（ステップＳＴ３１３）。
【００７１】
また、ＤＲＮＣ５３ｂは、ＳＲＮＳ  Ｒｅｌｏｃａｔｉｏｎを実行した後、Drift RNC Relocation CompleteをＳＲＮＣ６１ｂに送信する（ステップＳＴ３１４）。なお、ＳＲＮＳ  Ｒｅｌｏｃａｔｉｏｎの実行については、ＳＲＮＣ６１ｂは、時刻ＣＦＮにより認識することも可能であり、時刻ＣＦＮとなった後、ＳＲＮＣ６１ｂがRelocation Detectメッセージを自動的に返送する場合は、Drift RNC Relocation Completeメッセージを送信する必要はない。
【００７２】
次に、ＳＲＮＣ６１ｂは、ＳＲＮＳ  Ｒｅｌｏｃａｔｉｏｎが実行されたことを示すRelocation DetectメッセージをＳＧＳＮ６２へ送信する（ステップＳＴ３１５）。
【００７３】
次に、ＳＲＮＣ６１ｂは、新しいＳＲＮＣの識別子やロケーションエリア、ルーティングエリアの識別子などの情報をUTRAN Mobility Informationメッセージに設定してＭＳ５１に送信する（ステップＳＴ３１６）。
【００７４】
次に、ＭＳ５１は、UTRAN Mobility Informationメッセージを受信すると、UTRAN Mobility Information ConfirmメッセージをＳＲＮＣ６１ｂへ送信する（ステップＳＴ３１７）。
【００７５】
次に、ＳＲＮＣ６１ｂは、Relocation CompleteメッセージをＳＧＳＮ６２に送信し、ＳＲＮＳ  Ｒｅｌｏｃａｔｉｏｎが正常に完了したことを通知する（ステップＳＴ３１８）。
【００７６】
次に、ＳＲＮＳ  ＲｅｌｏｃａｔｉｏｎがＩｎｔｅｒ−ＳＧＳＮ  ＳＲＮＳ  Ｒｅｌｏｃａｔｉｏｎである場合、ＳＧＳＮ６２は、Forward Relocation Completeメッセージにより、以前のＳＧＳＮ５４にＳＲＮＳ  Ｒｅｌｏｃａｔｉｏｎが正常に完了したことを通知する（ステップＳＴ３１９）。
【００７７】
次に、Forward Relocation Completeメッセージを受け取ったＳＧＳＮ５４は、Forward Relocation Complete AcknowledgeメッセージをＳＧＳＮ６２に対して送信する（ステップＳＴ３２０）。
【００７８】
次に、ＳＧＳＮ６２は、Relocation Completeメッセージを受信した後、Update PDP Context RequestメッセージをＧＧＳＮ５６に対して送信する（ステップＳＴ３２１）。
【００７９】
次に、Update PDP Context Requestメッセージを受け取ったＧＧＳＮ５６は、Update PDP Context ResponseメッセージをＳＧＳＮ６２に対して送信する（ステップＳＴ３２２）。これにより、ＧＧＳＮ５６とＳＧＳＮ６２との間の経路を新しいＳＧＳＮ６２側に変更する。
【００８０】
次に、ＳＧＳＮ５４は、Forward Relocation Completeメッセージを受信した後、Iu Release CommandメッセージをＤＲＮＣ６１ａへ送信する（ステップＳＴ３２３）。
【００８１】
次に、Iu Release Commandメッセージを受け取ったＤＲＮＣ６１ａは、ＳＧＳＮ５４に対してIu Release Commandメッセージを送信する（ステップＳＴ３２４）。これにより、ＳＧＳＮ５４とＤＲＮＣ６１ａとの間の通信コネクションを解放する。
【００８２】
次に、ステップＳＴ３１６及びステップＳＴ３１７において、UTRAN Mobility Informationにより通知されたルーティングエリア情報が以前の情報と異なる場合、ＭＳ５１は、新しいＳＧＳＮ６２との間でRouting Area Updateを行う。
【００８３】
このように、本実施の形態の移動通信システム及び無線ネットワーク制御方法によれば、ＣＦＮを用いて全てのＲＮＣにて同時にネットワーク機能ハンドオーバを行うので、パケットの損失を防ぐことができるとともに、通信品質の劣化を防ぐことができる。また、本実施の形態の移動通信システムによれば、無線回線制御を行う機能を有する無線制御装置と移動端末との間にてタイミングを制御するための信号を用いてネットワーク機能ハンドオーバのタイミングを制御することができるので、ネットワーク機能ハンドオーバのタイミングを制御するための新たな信号が不要であり、ネットワーク機能ハンドオーバの処理を簡単にすることができる。
【産業上の利用可能性】
【００８４】
本発明にかかる移動通信システム及び無線ネットワーク制御方法は、パケットの損失を防ぐことができるとともに、通信品質の劣化を防ぐ効果を有し、ネットワーク機能ハンドオーバの制御を行うのに有用である。
【図面の簡単な説明】
【００８５】
【図１】本発明の実施の形態に係る無線制御装置の構成を示すブロック図
【図２】本発明の実施の形態に係るＦＰ部の構成を示すブロック図
【図３】本発明の実施の形態に係る移動通信システムの動作を示すシーケンス図
【図４】ネットワークの構成を示す模式図
【図５】ネットワークの構成を示す模式図
【図６】ネットワークの構成を示す模式図
【図７】ネットワークの構成を示す模式図
【符号の説明】
【００８６】
１００  無線制御装置
１０４  ＲＮＣ制御部
１０５  無線レイヤ３部
１０６  無線レイヤ２部
１０７  ＭＤＣ部
１０８  ＦＰ部
１０９  交換部
１１０  タイミングソース部
【図１】
2005260435.tif 000003
【図２】
2005260435.tif 000004
【図３】
2005260435.tif 000005
【図４】
2005260435.tif 000006
【図５】
2005260435.tif 000007
【図６】
2005260435.tif 000008
【図７】
2005260435.tif 000009